(57)【要約】【課題】移行期間のレーザダイオードの出力を安定に行うことができる光ディスク装置を提供する。【解決手段】制御電圧を出力する第２電圧出力回路１６と、データの再生時において発光素子に流れる電流の少なくとも一部が一定に維持されるように制御電圧を電圧値ＶＷＤＣ＿Ｒとする定電流制御回路４６と、データの消去時において発光素子の出力電力が一定に維持されるように制御電圧を電圧値ＶＷＤＣ＿Ｗとする定電力制御回路３２と、第２電圧出力回路１６の制御を定電流制御回路４６から定電力制御回路３２に切り替える切替タイミング回路４２とを含み、切替タイミング回路４２によって定電流制御回路４６から定電力制御回路３２に切り替える前に、制御電圧を電圧値ＶＷＤＣ＿Ｒから電圧値ＶＷＤＣ＿Ｗに近づけることを特徴とする光ディスク装置によって上記課題を解決できる。【選択図】        図１
2004213786.tif 000002
【特許請求の範囲】
【請求項１】
制御信号に基づいて発光素子の出力を制御してデータの再生及び消去又は記録を行う光ディスク装置であって、
前記制御信号を出力する制御信号出力手段と、
前記制御信号出力手段を制御して発光素子に流れる電流の少なくとも一部が一定に維持されるように前記制御信号を第１制御値とする定電流制御手段と、
前記制御信号出力手段を制御して発光素子の出力電力が一定に維持されるように前記制御信号を第２制御値とする定電力制御手段と、
前記制御信号出力手段の制御を前記定電流制御手段から前記定電力制御手段に切り替える切替手段と、
を含み、
前記切替手段によって前記定電流制御手段から前記定電力制御手段に切り替える前に、前記定電流制御手段によって前記制御信号を前記第１制御値から前記第２制御値に近づけることを特徴とする光ディスク装置。
【請求項２】
請求項１に記載の光ディスク装置において、
前記切替手段によって前記定電流制御手段から前記定電力制御手段に切り替える前に、前記定電流制御手段によって前記制御信号を前記第２制御値とすることを特徴とする光ディスク装置。
【請求項３】
制御信号に基づいて発光素子の出力を制御してデータの再生及び消去又は記録を行う光ディスク装置の制御方法であって、
発光素子に流れる電流の少なくとも一部が一定に維持されるように前記制御信号を第１制御値に制御する定電流制御工程と、
発光素子の出力電力が一定に維持されるように前記制御信号を第２制御値とする定電力制御工程と、を含み、
前記定電流制御工程から前記定電力制御工程へ移行する前に、前記制御信号を前記第１制御値から前記第２制御値に近づける移行準備工程を有することを特徴とする光ディスク装置の制御方法。
【請求項４】
請求項３に記載の光ディスク装置の制御方法において、
前記移行準備工程は、前記制御信号を前記第１制御値とすることを特徴とする光ディスク装置の制御方法。
【発明の詳細な説明】
【０００１】
【発明の属する技術分野】
本発明は、サーボ制御を安定に行うことができる光ディスク装置及び光ディスク装置の制御方法に関する。
【０００２】
【従来の技術】
従来より、データの記録が可能なＣＤ−Ｒやデータの記録及び消去が可能なＣＤ−ＲＷ等の光ディスク装置が広く利用されている。
【０００３】
このような光ディスク装置におけるデータの記録は、記録材料である有機色素材料にレーザ光を照射し、記録マーク（ピット）を焼き付けて行われる。また、データの再生は、ディスクの記録面に記録された記録マークにレーザ光を照射し、その反射を検出することによって行われる。このとき、レーザ光はレンズを通してディスクの記録面に照射され、記録又は再生に最適な状態になるようにレンズ位置を制御するフォーカスサーボ制御を行う必要がある。
【０００４】
さらに、データの再生、消去及び記録をディスク上の正確な位置で行うため、ディスク上に予め刻まれた案内溝（Ｇｒｏｏｖｅ）からのレーザ光の反射を利用して、この案内溝を正確にトレースするようにレンズ位置を制御するトラッキングサーボ制御を行う必要もある。
【０００５】
また、データの再生、消去及び記録に対して最適なレーザ光のパワーを検出して、定電流制御や定電力制御により最適パワーを保って再生、消去及び記録の各々の処理を行う必要がある。
【０００６】
従来の光ディスク装置は、図５に示すように、レーザダイオード（ＬＤ）１０、レーザダイオードドライバ（ＬＤドライバ）１２、第１電圧出力回路１４、第２電圧出力回路１６、増幅器１８、定電力制御回路（ＡＰＣ回路）２２，３２、定電流制御回路（ＡＣＣ回路）２６、複数のデジタル／アナログ変換回路（ＤＡ回路）２０，２４，２８，３４、複数のサンプルホールド回路（Ｓ／Ｈ回路）３０，３６を含んで構成される。また、これらの回路を制御する処理部４０及び各スイッチ等を切り替える信号を制御するＥＮＤＥＣ３８も含まれる。さらに、レーザダイオード１０の出力電力をフォトダイオード等の光電変換素子によって検出してフィードバック信号を出力するＦＭＤ回路４４も備えている。
【０００７】
第１電圧出力回路１４は、スイッチＳＷ１を介して、ＡＰＣ回路２２又はＡＣＣ回路２６に接続される。ＡＰＣ回路２２はＤＡ回路２４及びＳ／Ｈ回路３０と接続され、ＡＣＣ回路２６はＤＡ回路２８と接続される。ＤＡ回路２４，２８は、処理部４０に接続される。また、Ｓ／Ｈ回路３０は、ＦＭＤ回路４４に接続される。
【０００８】
同様に、第２電圧出力回路１６は、スイッチＳＷ２を介して、ＡＰＣ回路３２と接続される。ＡＰＣ回路３２は、ＤＡ回路３４及びＳ／Ｈ回路３６と接続される。さらに、ＤＡ回路３４は、処理部４０に接続される。また、Ｓ／Ｈ回路３６は、ＦＭＤ回路４４に接続される。
【０００９】
増幅器１８はＤＡ回路２０に接続され、ＤＡ回路２０は処理部４０に接続される。
【００１０】
第１電圧出力回路１４、第２電圧出力回路１６及び増幅器１８は、図２に示すように、スイッチＳＷ３〜ＳＷ５を介して、ＬＤドライバ１２に含まれる第１電流源５０、第２電流源５２及び第３電流源５４に接続されている。第１電圧出力回路１４、第２電圧出力回路１６又は増幅器１８からの制御電圧を受けると、ＬＤドライバ１２の第１電流源５０、第２電流源５２及び第３電流源５４はレーザダイオード１０へ駆動電流を出力する。データの再生時には第１電流源５０からの電流、データの消去時には第１電流源５０及び第２電流源５２からの合成電流及びデータの記録時には第１電流源５０及び第３電流源５４からの合成電流によってレーザダイオード１０が発光してデータの再生、消去又は記録がそれぞれ行われる。
【００１１】
図６に、ディスク上のデータの再生、消去及び記録を行う際のタイミングチャートを示す。光ディスク装置は、ディスクに刻まれているＡＴＩＰ基準信号（ＡＴＩＰＳＹＮＣ）を読み出し、このＡＴＩＰ基準信号の立ち上がりに同期させて各フレームの処理を開始する。このタイミングチャートの例では、第１フレームにおいてディスクのデータの再生が行われ、その後第２フレームからディスクのデータの消去及び記録の処理に移行している。
【００１２】
第１フレームでは、切替タイミング回路４２から出力されるＥＦＭＧ信号が“Ｌレベル”であり、このＥＦＭＧ信号に同期してスイッチＳＷ１がａ１側に接続され、スイッチＳＷ２が開放される。その結果、第１電圧出力回路１４はＡＰＣ回路２２によって制御され、第２電圧出力回路１６はＡＰＣ回路３２からの制御から切り離される。ＥＮＤＥＣ３８からはＬＤＯＮ信号が常時出力され、スイッチＳＷ３が閉じられ、第１電圧出力回路１４とＬＤドライバ１２が接続される。
【００１３】
第１フレームのデータの再生においては、処理部４０からＤＡ回路２４にＲＥＤＡ信号が出力される。ＤＡ回路２４は、処理部４０からのＲＥＤＡ信号を受けて、ＲＥＤＡ信号をデジタル／アナログ変換してＡＰＣ回路２２に出力する。ＡＰＣ回路２２は、ＤＡ回路２４からアナログ信号に変換されたＲＥＤＡ信号を受けて、第１電圧出力回路１４を制御してＬＤドライバ１２へ制御電圧ＶＲＤＣ＿Ｒを出力させる。ＬＤドライバ１２は、制御電圧ＶＲＤＣ＿Ｒを受けて、第１電流源５０からレーザダイオード１０へ駆動電流を出力してレーザダイオード１０を発光させる。このレーザダイオード１０の出力によってディスク上のピット又はランドが読み取られデータが再生される。
【００１４】
ここで、レーザダイオード１０の出力電力は、ＦＭＤ回路４４によって読み取られ、フィードバック信号としてＳ／Ｈ回路３０へ帰還される。データを再生している間、ＥＮＤＥＣ３８はＲＡＰＣ信号を“Ｈレベル”に維持してＳ／Ｈ回路３０へ出力することによって、Ｓ／Ｈ回路３０にフィードバック信号をサンプルホールドさせる。このサンプリング値はＡＰＣ回路２２へ出力され、ＡＰＣ回路２２はデータの再生中にレーザダイオード１０のパワーがＲＥＤＡ信号で定められる一定のパワーとなるように第１電圧出力回路１４を制御する。このＡＰＣ制御されたレーザダイオード１０の出力電力を電力値ＦＭＤ＿Ｒとする。
【００１５】
一方、データを再生する間、ＥＮＤＥＣ３８はＰＥＯ信号及びＰＷＯ信号を“Ｌレベル”に維持して出力することによってＳＷ４及びＳＷ５を開放させる。従って、第２電圧出力回路１６及び増幅器１８からの制御電圧はＬＤドライバ１２に伝達されず、ＬＤドライバ１２は第１電圧出力回路１４からの制御電圧ＶＲＤＣ＿Ｒのみによってレーザダイオード１０を駆動する。
【００１６】
次に、ＡＴＩＰＳＹＮＣの立ち上がりに同期して、データの消去及び記録を行う第２フレームに移行する。切替タイミング回路４２は、ＡＴＩＰＳＹＮＣの立ち上がりに応じてＥＦＭＧ信号を立ち下げ、スイッチＳＷ１をｂ１側に接続し、スイッチＳＷ２を閉じる。
【００１７】
処理部４０は、ＤＡ回路２８にＷＲＤＡ信号を出力する。ＤＡ回路２８は、ＷＲＤＡ信号をデジタル／アナログ変換してＡＣＣ回路２６に出力する。ＡＣＣ回路２６は、アナログ変換されたＷＲＤＡ信号を受けて、このＷＲＤＡ信号で定められる制御電圧を第１電圧出力回路１４から出力させ、ＬＤドライバ１２の第１電流源５０から出力される駆動電流がＷＲＤＡ信号によって定められる一定の電流値に維持されるように定電流制御を行う。このとき、ＷＲＤＡ信号で定められる駆動電流は、データの記録中における基底パワー（ボトムパワー）を決定するものであり、レーザダイオード１０が光らない程度の電流値とされる。このとき、第１電圧出力回路１４が出力する制御電圧を電圧値ＶＲＤＣ＿Ｗ（記録時のＶＲＤＣ）とする。
【００１８】
一方、処理部４０はＤＡ回路３４に対してＷＤＡＣ１信号を出力する。ＤＡ回路３４は、ＷＤＡＣ１信号をデジタル／アナログ変換してＡＰＣ回路３２に出力する。ＡＰＣ回路３２は、アナログ変換されたＷＤＡＣ１信号を受けて、レーザダイオード１０からの出力電力がディスク上のデータの消去を行うために適した電力となるように第２電圧出力回路１６から出力される制御電圧を制御する。
【００１９】
ＥＮＤＥＣ３８は、データの消去のタイミングに同期させてＰＥＯ信号を出力してスイッチＳＷ４を閉じることによって、第２電圧出力回路１６からの制御電圧をＬＤドライバ１２に伝達させる。ＬＤドライバ１２の第２電流源５２は、第２電圧出力回路１６からの制御電圧を受けて、その制御電圧で規定される駆動電流をレーザダイオード１０に出力する。レーザダイオード１０は、第１電流源５０からの駆動電流及び第２電流源５２からの駆動電流の合成電流によって発光し、そのレーザダイオード１０の出力によってディスク上のデータが消去される。このときの第２電圧出力回路１６の制御電圧を電圧値ＶＷＤＣ＿Ｗ（記録時のＶＷＤＣ）、レーザダイオード１０からの出力電力を電力値ＦＭＤ＿Ｗとする。
【００２０】
レーザダイオード１０の出力パワーはＦＭＤ回路４４によって読み取られ、フィードバック信号としてＳ／Ｈ回路３６へ出力される。ＥＮＤＥＣ３８は、データの消去のタイミングに合わせてＷＡＰＣ信号を出力し、ＦＭＤ回路４４からのフィードバック信号をＳ／Ｈ回路３６にサンプルホールドさせる。ＡＰＣ回路３２は、このサンプリング値を受けて、消去時のレーザダイオード１０のパワーがＷＤＡＣ１信号によって定められる一定値に維持されるように第２電圧出力回路１６から出力される制御電圧をフィードバック制御する。
【００２１】
同時に、ＥＮＤＥＣ３８は、データの消去時にＲＡＰＣ信号を出力することによって、ＦＭＤ回路４４からのフィードバック信号をＳ／Ｈ回路３０にサンプルホールドさせる。ＡＰＣ回路２２は、このサンプリング値に受けて、光ディスク装置がデータの再生処理に切り替えられた際にレーザダイオード１０の出力パワーが再生に適した値となるように調整を行う。
【００２２】
また、ディスク上にデータを記録する際には、処理部４０はＤＡ回路２０から電圧値ＶＷＤＣ＿Ｗが出力されるように設定する。増幅器１８からは、電圧値ＶＷＤＣ＿Ｗを増幅率ＡＴＴだけ増幅させた制御電圧が出力される。
【００２３】
ＥＮＤＥＣ３８は、データを記録するタイミングに同期させてＰＷＯ信号を出力してスイッチＳＷ５を閉じることによって、増幅器１８とＬＤドライバ１２とを接続する。ＬＤドライバ１２の第３電流源５４は、増幅器１８からの制御電圧を受けて、その制御電圧によって規定される駆動電流をレーザダイオード１０に供給する。その結果、第１電流源５０からの駆動電流と、第３電流源５４からの駆動電流との合成電流によってレーザダイオード１０が発光し、そのレーザダイオード１０の出力によってディクス上にデータが記録される。
【００２４】
【発明が解決しようとする課題】
ＡＰＣ回路３２を用いてレーザダイオード１０の出力パワーを定電力制御するためには、レーザダイオード１０の出力パワーをＦＭＤ回路４４によって読み出し、Ｓ／Ｈ回路３６でサンプルホールドする等の中間回路による処理が必要とされ、フィードバック制御が安定するまでに時間が掛かる。
【００２５】
従来技術においては、データの再生を行うフレームからデータの消去及び記録を行うフレームに移行する際に、レーザダイオード１０のパワーを規定する第２電圧出力回路１６の制御をＡＣＣ回路４６による定電流制御からＡＰＣ回路３２による定電力制御に切り替える。そのため、図６の第２フレームに示されるように、第２電圧出力回路１６からの制御電圧がＤＡ回路３４に設定されたＷＤＡＣ１信号で規定される電圧値ＶＷＤＣ＿Ｗに到達して安定するまでに時間が必要となり、それに伴ってレーザダイオード１０の出力が安定するまでにも時間を要する。例えば、図６に示すように、ディスク上のデータを消去する際のレーザ出力は２点鎖線で示すようにパワーが変化し、ディスク上にデータを記録する際のレーザ出力は１点鎖線で示すようにパワーが変化する。
【００２６】
このような移行期間におけるレーザ出力の変化は、データの記録品位を低下させると同時に、光ディスク装置のサーボ制御を行うためのディスク上の信号の読み取りを困難にし、サーボ制御の破綻を招く原因となる。
【００２７】
本発明は、上記従来技術の問題を鑑み、少なくとも上記課題を解決すべく、移行期間のレーザダイオードの出力を安定に行うことができる光ディスク装置及び光ディスク装置の制御方法を提供することを目的とする。
【００２８】
【課題を解決するための手段】
上記課題を解決できる本発明は、制御信号に基づいて発光素子の出力を制御してデータの再生及び消去又は記録を行う光ディスク装置であって、前記制御信号を出力する制御信号出力手段と、前記制御信号出力手段を制御して発光素子に流れる電流の少なくとも一部が一定に維持されるように前記制御信号を第１制御値とする定電流制御手段と、前記制御信号出力手段を制御して発光素子の出力電力が一定に維持されるように前記制御信号を第２制御値とする定電力制御手段と、前記制御信号出力手段の制御を前記定電流制御手段から前記定電力制御手段に切り替える切替手段とを含み、前記切替手段によって前記定電流制御手段から前記定電力制御手段に切り替える前に、前記定電流制御手段によって前記制御信号を前記第１制御値から前記第２制御値に近づけることを特徴とする。
【００２９】
ここで、前記切替手段によって前記定電流制御手段から前記定電力制御手段に切り替える前に、前記定電流制御手段によって前記制御信号を前記第２制御値とすることがより好適である。
【００３０】
また、上記課題を解決できる本発明の別の態様は、制御信号に基づいて発光素子の出力を制御してデータの再生及び消去又は記録を行う光ディスク装置の制御方法であって、発光素子に流れる電流の少なくとも一部が一定に維持されるように前記制御信号を第１制御値に制御する定電流制御工程と、発光素子の出力電力が一定に維持されるように前記制御信号を第２制御値とする定電力制御工程とを含み、前記定電流制御工程から前記定電力制御工程へ移行する前に、前記制御信号を前記第１制御値から前記第２制御値に近づける移行準備工程を有することを特徴とする。
【００３１】
ここで、前記移行準備工程は、前記制御信号を前記第１制御値とすることがより好適である。
【００３２】
これによって、ディスク上のデータの再生及び消去又は記録を行う光ディスク装置において移行期間のレーザダイオードの出力を安定させることができる。
【００３３】
【発明の実施の形態】
以下、本発明の実施の形態について図面を参照して説明する。本発明の実施の形態における光ディスク装置は、図１及び図２に示した従来の光ディスク装置と同様の構成を含んでいるが、さらにＡＣＣ回路４６及びＤＡ回路４８を備えている点で相違する。
【００３４】
図３に、本実施の形態におけるディスク上のデータの再生、消去及び記録時のタイミングチャートの例を示す。このタイミングチャートの例では、第１フレームにおいてディスク上のデータが再生され、その後の第２フレームにおいてデータの消去及び記録に移行する。
【００３５】
第１フレームでは、切替タイミング回路４２から出力されるＥＦＭＧ信号が”Ｈレベル”にあり、スイッチＳＷ１がａ１側に接続され、スイッチＳＷ２はｂ２側に接続される。従って、第１電圧出力回路１４はＡＣＣ回路２６によって制御され、第２電圧出力回路１６はＡＰＣ回路３２によって制御されることとなる。ＥＮＤＥＣ３８からはＬＤＯＮ信号が常時出力され、スイッチＳＷ３が閉じられ、第１電圧出力回路１４とＬＤドライバ１２が接続される。
【００３６】
第１フレームのデータの再生において、レーザダイオード１０の駆動電流は従来技術と同様に制御される。すなわち、処理部４０からＤＡ回路２４にＲＥＤＡ信号が設定され、ＦＭＤ回路４４を用いてレーザダイオード１０の出力パワーを読み出し、ＡＰＣ回路２２にフィードバックすることによってレーザダイオード１０の出力パワーがＲＥＤＡ信号によって規定される一定値に維持されるように定電力制御が行われる。
【００３７】
例えば、相変化を利用したディスクを対象とした場合、データの再生にはリードパワーＰＲＤ：１ｍＷが得られるように制御電圧の電圧値ＶＲＤＣ＿Ｒが調整される。
【００３８】
一方、データを再生する間、ＥＮＤＥＣ３８はＰＥＯ信号及びＰＷＯ信号を“Ｌレベル”に維持して出力することによってＳＷ４及びＳＷ５を開放させ、第２電圧出力回路１６及び増幅器１８はＬＤドライバ１２から切り離される。
【００３９】
本実施の形態の光ディスク装置では、データの再生を行うフレームからデータの消去及び記録を行うフレームに移行する前に、処理部４０からＤＡ回路４８にＷＤＡＣ２信号を設定する。ＤＡ回路４８は、ＷＤＡＣ２信号をデジタル／アナログ変換してＡＣＣ回路４６へ出力する。ＡＣＣ回路４６は、アナログ変換されたＷＤＡＣ２信号を受けて、第２電圧出力回路１６からＷＤＡＣ２信号によって規定される制御電圧が出力されるように制御を行う。
【００４０】
ＷＤＡＣ２信号は、第２電圧出力回路１６からデータの消去に適した制御電圧の電圧値ＶＷＤＣ＿Ｗが出力される値に設定することが好適である。ＷＤＡＣ２信号の設定値の求め方については後に詳述する。
【００４１】
ディスクからのデータの再生が終了すると、ＡＴＩＰＳＹＮＣの立ち上がりに同期してデータの消去及び再生を行う第２フレームに移行する。切替タイミング回路４２は、ＡＴＩＰＳＹＮＣの立ち上がりに応じてＥＦＭＧ信号を立ち下げ、スイッチＳＷ１をｂ１側に接続し、スイッチＳＷ２をａ２側に接続する。これによって、第１電圧出力回路１４はＡＣＣ回路２６によって定電流制御され、第２電圧出力回路１６はＡＰＣ回路３２によって定電力制御されることとなる。
【００４２】
処理部４０は、ＤＡ回路２８にＷＲＤＡ信号を出力して、ＡＣＣ回路２６によって第１電圧出力回路１４からＷＲＤＡ信号で規定される制御電圧値ＶＲＤＣ＿Ｗを出力させる。ＥＮＤＥＣ３８から出力されるＬＤＯＮ信号は常時“Ｈレベル”にあるので、スイッチＳＷ３は閉じられており、第１電圧出力回路１４からの制御電圧値ＶＲＤＣ＿Ｗを受けたＬＤドライバ１２の第１電流源５０からレーザダイオード１０に駆動電流が出力される。この駆動電流は、従来技術と同様に、データの消去又は記録における基底パワー（ボトムパワー）を決定するものであり、レーザダイオード１０が光らない程度の電流値とされる。
【００４３】
一方、処理部４０は、ＤＡ回路３４に対してＷＤＡＣ１信号を出力する。ＤＡ回路３４は、ＷＤＡＣ１信号をデジタル／アナログ変換してＡＰＣ回路３２へ出力する。ＡＰＣ回路３２は、アナログ変換されたＷＤＡＣ１信号を受けて、レーザダイオード１０の出力パワーがＷＤＡＣ１信号によって規定される一定の電力となるように制御する。
【００４４】
このとき、データの再生のフレームが終了する前にＤＡ回路４８にＷＤＡＣ２信号を設定し、第２電圧出力回路１６の制御電圧を予め昇圧しておいたため、第２電圧出力回路１６の制御をＡＣＣ回路４６からＡＰＣ回路３２に切り替える際の第２電圧出力回路１６からの制御電圧の出力変動を最小限に抑制することができる。
【００４５】
データの消去を行うときには、ＥＮＤＥＣ３８によってデータを消去するタイミングに同期させてＰＥＯ信号を“Ｈレベル”に設定し、スイッチＳＷ４を閉じることで第２電圧出力回路１６からの制御電圧値ＶＷＤＣ＿ＷをＬＤドライバ１２に入力する。その結果、ＬＤドライバ１２の第２電流源５２から制御電圧値ＶＷＤＣ＿Ｗに応じた駆動電流が供給される。レーザダイオード１０は、第１電流源５０及び第２電流源５２からの駆動電流の合成電流によって発光し、ディスク上のデータが消去される。
【００４６】
また、ディスク上にデータを記録する際には、処理部４０はＤＡ回路２０から電圧値ＶＷＤＣ＿Ｗが出力されるように設定する。増幅器１８からは電圧値ＶＷＤＣ＿Ｗを増幅率ＡＴＴだけ増幅させた制御電圧が出力される。さらに、ＥＮＤＥＣ３８のＰＷＯ信号に基づいてデータを記録するタイミングに同期させてスイッチＳＷ５を閉じることによって増幅器１８とＬＤドライバ１２とが接続される。ＬＤドライバ１２の第３電流源５４は、増幅器１８からの制御電圧を受けて、その制御電圧によって規定される駆動電流をレーザダイオード１０に供給する。その結果、第１電流源５０からの駆動電流と、第３電流源５４からの駆動電流との合成電流によってレーザダイオード１０が発光し、そのレーザダイオード１０の出力によってディクス上にデータが記録される。
【００４７】
例えば、相変化を利用したディスクでは、イレースパワーＰＥＲ：５ｍＷ及びライトパワーＰＷＲ：１１ｍＷが得られるように電圧値ＶＲＤＣ＿Ｗ及びＶＷＤＣ＿Ｗが調整される。
【００４８】
＜ＷＤＡＣ２信号の設定値の算出方法＞
ＷＤＡＣ２信号の設定値は、図４に示すように、第２電圧出力回路１６の制御電圧及びＦＭＤ回路４４で読み取ったレーザダイオード１０の出力電力との関係から求めることができる。
【００４９】
まず、ＥＦＭＧ信号を“Ｈレベル”に設定して第２電圧出力回路１６とＡＰＣ回路３２とを接続し、処理部４０からＤＡ回路３４に設定値Ｙ１を出力する。ＡＰＣ回路３２は、ＤＡ回路３４からの設定値Ｙ１及びＦＭＤ回路４４からのフィードバック信号を受けて、第２電圧出力回路１６に設定値Ｙ１で規定される一定の制御電圧Ｖ１を出力させる。ＬＤドライバ１２は、制御電圧Ｖ１を受けて、制御電圧Ｖ１に応じた第２電流源５２から駆動電流をレーザダイオード１０へ供給する。レーザダイオード１０は、ＡＣＣ回路２６で制御された第１電圧出力回路１４からの制御電圧値ＶＲＤＣ＿Ｗを受けた第１電流源５０からの駆動電流と、制御電圧Ｖ１を受けた第２電流源５２からの駆動電流との合成電流によって発光する。このとき、ＦＭＤ回路４４によって読み取られたレーザダイオード１０の出力を電力Ｗ１とする。ＤＡ回路３４の設定値Ｙ１、第２電圧出力回路１６からの制御電圧Ｖ１及びレーザダイオード１０の出力電力Ｗ１との関係は図４のＡ点で示される。
【００５０】
同様に、処理部４０からＤＡ回路３４に設定値Ｙ２を出力し、そのときの第２電圧出力回路１６から制御電圧値Ｖ２及びレーザダイオード１０の出力電力Ｗ２を求める（図４のＢ点）。
【００５１】
このとき、レーザダイオード１０の出力電力Ｗ１及びＷ２は、最終的にＤＡ回路３４，４８への設定値を補間するために用いられるので、データの消去又は記録に適した出力電力に近い値とし、レーザダイオード１０の出力が直線近似できる範囲内に設定することが望ましい。例えば、相変化を利用したディスクを対処とする場合には、１０ｍＷ〜２０ｍＷの範囲から選択することが好ましい。
【００５２】
また、このときのレーザダイオード１０の温度Ｔ１を温度測定回路６０によって測定する。
【００５３】
次に、ＥＦＭＧ信号を“Ｌレベル”に設定して第２電圧出力回路１６とＡＣＣ回路４６とを接続し、処理部４０からＤＡ回路４８に設定値Ｙ３を出力する。ＡＣＣ回路４６は、ＤＡ回路４８からの設定値Ｙ３の出力を受けて、第２電圧出力回路１６からの制御電圧が設定値Ｙ３で規定される一定値となるように制御を行う。このとき、第２電圧出力回路１６から出力される制御電圧が上記電圧値Ｖ１と等しくなるように設定値Ｙ３を調整し、そのときの設定値Ｙ３を取得する。
【００５４】
同様に、ＡＣＣ回路４６を用いて、第２電圧出力回路１６から出力される制御電圧が上記電圧値Ｖ２と等しくなる設定値Ｙ４を取得する。また、このときのレーザダイオード１０の温度Ｔ２を温度測定回路６０によって取得する。
【００５５】
データの消去に適したレーザダイオード１０の出力が電力ＦＭＤ＿Ｗであるとすると、ＤＡ回路３４に設定する設定値ＷＤＡＣ１は関係式（１）によって算出することができる。この関係式（１）は、レーザダイオード１０の出力を上記で求めた電力Ｗ１及びＷ２に基づいて直線近似し、出力電力ＷＥが出力される設定値ＷＤＡＣ１を算出するものである。
【００５６】
【数１】
2004213786.tif 000003
【００５７】
また、データの再生のフレームからデータの消去又は記録を行うフレームに移行する前に、ＤＡ回路４８に設定する設定値ＷＤＡＣ２は関係式（２）を用いて算出することができる。
【００５８】
【数２】
2004213786.tif 000004
【００５９】
以上のように、設定値ＷＤＡＣ２の値を定めることにより、データの再生からデータの消去又は記録へ移行する際に第２電力出力回路１６から出力される制御電圧の変動を抑制することができる。
【００６０】
なお、ＡＣＣ回路４６による定電流制御では、実際のレーザダイオード１０の出力電力をフィードバックに利用していないため、レーザダイオード１０の温度の影響により設定値ＷＤＡＣ２とレーザダイオード１０の出力電力との関係が変動し易い。従って、レーザダイオード１０の測定温度Ｔ２が測定温度Ｔ１に対して所定の温度範囲内にない場合には、上記処理をやり直し、関係式（１）及び（２）を再度求めて設定値ＷＤＡＣ１及びＷＤＡＣ２を算出することが好適である。
【００６１】
以上のように、本実施の形態によれば、データの再生からデータの消去又は記録に移行する際に、レーザダイオードの出力を安定化させることができる。その結果、データの記録品位の低下を抑制すると共に、光ディスク装置のサーボ制御の破綻を防ぐことができる。
【００６２】
なお、本発明の光ディスク装置及び光ディスクの制御方法は、上記実施の形態に限定されるものではなく、本発明の要旨を逸脱しない範囲内において変更を加えた態様とすることができる。
【００６３】
【発明の効果】
以上のように、本発明によれば、光ディスク装置においてデータの再生からデータの消去又は記録に移行する際に、レーザダイオードの出力を安定にすることができる。その結果、記録品位を向上することができ、サーボ制御を安定に行うことができる等の効果が得られる。
【図面の簡単な説明】
【図１】本発明の実施の形態における光ディスク装置の構成を示すブロック図である。
【図２】光ディスク装置のＬＤドライバの構成を示す図である。
【図３】本発明の実施の形態における光ディスク装置の制御のタイミングチャートを示す図である。
【図４】本発明の実施の形態におけるＤＡ回路の設定値の取得方法を説明する図である。
【図５】従来の光ディスク装置の構成を示すブロック図である。
【図６】従来の光ディスク装置の制御におけるタイミングチャートを示す図である。
【符号の説明】
１０  レーザダイオード、１２  ＬＤドライバ、１４  第１電圧出力回路、１６  第２電力出力回路、１８  増幅器、２０，２４，２８，３４，４８  ＤＡ回路、２２，３２  定電力制御（ＡＰＣ）回路、２６，４６  定電流制御（ＡＣＣ）回路、３０，３６  サンプルホールド（Ｓ／Ｈ）回路、４０  処理部、４２  切替タイミング回路、４４  ＦＭＤ回路、５０  第１電流源、５２  第２電流源、５４  第３電流源、６０  温度測定回路。
【図１】
2004213786.tif 000005
【図２】
2004213786.tif 000006
【図３】
2004213786.tif 000007
【図４】
2004213786.tif 000008
【図５】
2004213786.tif 000009
【図６】
2004213786.tif 000010